(57)【要約】【課題】結び上がりが、「天使の羽」や「花」や「ハート」や「彼と彼女」など、あらゆる形に仕上がる装飾用紐（リボン）であり、紐の左右を合わせて結んだ時に、初めて目的とする形や全体像を完成させる装飾用紐（リボン）を提供する。【解決手段】ある一定の長さを有する紐の本体１と、この両端に施した左側先端形状部２、右側先端形状部３によって構成される装飾用紐（リボン）であり、当該左側先端形状部２、右側先端形状部３の各々の形状は、「天使の羽」や「花」や「ハート」や「彼と彼女」など、結び上がりの、あらゆる形や全体像の左右半分形や左右片側形（左側先端形状部は右側形、また、右側先端形状部は左側形）であることを特徴とする装飾用紐（リボン）。【選択図】図１
2009084771.tif 000002
【特許請求の範囲】
【請求項１】
ある一定の長さを有する紐の本体１と、この両端に施した左側先端形状部２、右側先端形状部３によって構成される装飾用紐（リボン）であり、当該左側先端形状部２、右側先端形状部３の各々の形状は、「天使の羽」や「花」や「ハート」や「彼と彼女」など、結び上がりの、あらゆる形や全体像の左右半分形や左右片側形（左側先端形状部は右側形、また、右側先端形状部は左側形）であることを特徴とする装飾用紐（リボン）。
【請求項２】
前記紐の本体１の左右先端に施した当該形状に、彩色や刺繍やアップリケ等を加えたことを特徴とする請求項１に記載の装飾用紐（リボン）。
【請求項３】
前記紐の本体１の左右先端に施した当該形状に、形状保持材４（ワイヤーや芯地等）を用いたことを特徴とする請求項１、または請求項２に記載の装飾用紐（リボン）。
【請求項４】
前記左右先端にあらゆる形状を施した紐の本体１の一部、あるいは全部を、ゴム等の伸縮素材で構成し、長さ調節部５を設けたことを特徴とする請求項１から請求項３のいずれか１項に記載の装飾用紐（リボン）。
【請求項５】
前記左右先端にあらゆる形状を施した装飾用紐（リボン）を、紐の本体中央で左右に２分し、この左右二つを一組として構成する請求項１から請求項４のいずれか１項に記載の装飾用紐（リボン）。
【請求項６】
前記装飾用紐（リボン）の結び上がりの形を、ハートやりんごや花等のような一個形（いっこけい）とする時、当該一個形の縦半分形となる紐の左右先端に施す形状と紐の本体との接部に、Ｖ字型の切れ目６を入れ、また、結び目直下にくる左右形状の合わせ目、すなわち一個形の結び目直下の中心線を各々実際の中心より外側に取り、一個形の結び目直下にゆとり部分７を設けたことを特徴とする請求項１から請求項５のいずれか１項に記載の装飾用紐（リボン）。
【請求項７】
前記紐の本体１の左右先端に、目的とする形や全体像の左右半分形や左右片側形を、各々（結ぶのではなく）合せただけで形を成す方向及び形態に（左側先端形状部には左側形を、また、右側先端形状部には右側形を）取り付け、当該合わせ目付近に接続具８（マジックテープ等）を付けた装飾用紐（リボン）。
【発明の詳細な説明】
【技術分野】
【０００１】  この発明は、装飾用紐（リボン）の先端に施した形状に関する。
【背景技術】
【０００２】  従来の装飾用紐（リボン）の先端の形状は、ほとんど均一で、且つ直線的に構成されている。
【発明の開示】
【発明が解決しようとする課題】
【０００３】  しかしながら、以上の技術によれば、こうした装飾用紐（リボン）の結び上がりの形状は限られており、装飾効果はマンネリ化しいていた。【０００４】  そこで、この発明は、結び上がりが、「天使の羽」や「花」や「ハート」や「彼と彼女」など、あらゆる形に仕上がる装飾用紐（リボン）であり、紐の左右を合わせて結んだ時に、初めて目的とする形や全体像を完成させる装飾用紐（リボン）を提供する。
【課題を解決するための手段】
【０００５】  以上の課題を解決するために、第一発明は、ある一定の長さを有する紐の本体１と、この両端に施した左側先端形状部２、右側先端形状部３によって構成されたことを特徴とする装飾用紐（リボン）であり、当該左側先端形状部２、右側先端形状部３の各々の形状は、「天使の羽」や「花」や「ハート」や「彼と彼女」など、結び上がりの、あらゆる形や全体像の左右半分形や左右片側形（左側先端形状部は右側形、また、右側先端形状部は左側形）であることを特徴とする装飾用紐（リボン）である。（図１、図２参照）【０００６】  また、第二発明は、前記紐の左右先端に施した形状の片面や両面に、彩色や刺繍やアップリケ等を加えたことを特徴とする装飾用紐（リボン）である。（図３参照）【０００７】  また、第三発明は、前記紐の左右先端に施した形状に、形状保持材４（ワイヤーや芯地等）を用いたことを特徴とする装飾用紐（リボン）である。（図４参照）【０００８】  また、第四発明は、前記装飾用紐（リボン）の紐本体の一部、あるいは全部を、ゴム等の伸縮素材で構成し、長さ調節部５を設けたことを特徴とする装飾用紐（リボン）である。（図５参照）【０００９】  また、第五発明は、前記装飾用紐（リボン）を、紐の本体中央で左右に２分し、この左右二つを一組として構成することを特徴とする装飾用紐（リボン）である。（図６参照）【００１０】  また、第六発明は、前記装飾用紐（リボン）の結び上がりの形を、ハートやりんご等のような一個形とする時、当該一個形の縦半分形となる紐の左右先端に施す形状と紐本体との接部に、図７中に示したようなＶ字型の切れ目６を入れ、また、結び目直下にくる左右形状の合わせ目、すなわち一個形の結び目直下の中心線を各々実際の中心より外側に取り、一個形の結び目直下にゆとり部分７を設けたことを特徴とする装飾用紐（リボン）である。（図７、図８参照）【００１１】  また、第七発明は、図１１に示したように、前記紐の本体１の左右先端に、目的とする形や全体像の左右半分形や左右片側形を、各々（結ぶのではなく）合せただけで形を成す方向及び形態に（左側先端形状部には左側形を、また、右側先端形状部には右側形を）取り付け、当該合わせ目付近に接続具８（マジックテープ等）を付けたことを特徴とする装飾用紐（リボン）である。（図１１、図１２参照）
【発明の効果】
【００１２】  第一発明によれば、ある一定の長さを有する紐本体の左右先端にあらゆる形状を施し、当該形状に、これを合わせて結んだ時、初めて目的とする形や全体像を完成させる効果を持たせたことで、結ぶ過程と結び上がりへの期待感を高め、被装飾体をより印象的に飾り、当該形状に相手へのメッセージを込める等、装飾効果を多様化する。【００１３】  また、第二発明によれば、前記紐本体の左右先端に施した当該形状の片面や両面に、彩色や刺繍やアップリケ等を加えたことで、当該形状の完成度を高め、結んだ時により奇麗で楽しいものとなる。【００１４】  また、第三発明によれば、前記紐本体の左右先端に施した当該形状に、形状保持材（ワイヤーや芯地等）を用いたことで、当該形状をより明確に表現することができ、且つ、美しく保つことができる。【００１５】  また、第四発明によれば、前記紐本体の一部、あるいは全部を、ゴム等の伸縮素材で構成し、長さ調節部を設けたことで、当該装飾用紐（リボン）の長さ調節が可能となり、また、結び易くなる。【００１６】  また、第五発明によれば、前記装飾用紐（リボン）を、紐の本体中央で左右に２分し、この左右二つを一組として構成することで、利用の幅が広がる。【００１７】  また、第六発明によれば、装飾用紐（リボン）の結び上がりの形を、ハートやりんごや花等のような一個形とする時、左右先端に施す形状と紐本体との接部に、図７中に示したようなＶ字型の切れ目を入れ、また、結び目直下にくる左右形状の合わせ目、すなわち結び上がり一個形の中心線を各々実際の中心より外側に取り、一個形の結び目直下にゆとり部分を設けたことで、図８に示したように、結び上がりの結び目付近や、結び目直下の合わせ目の隙間を塞ぎ、より奇麗に仕上げることができる。【００１８】  また、第七発明によれば、前記紐の本体１の左右先端に、目的とする形や全体像の左右半分形や左右片側形を、各々（結ぶのではなく）合せただけで形を成す方向及び形態に（左側先端形状部には左側形を、また、右側先端形状部には右側形を）取り付け、当該合わせ目付近に接続具（マジックテープ等）を付けたことで、結ぶ手間なく、手早く目的とする形や全体像を完成させることができる。
【発明を実施するための最良の形態】
【００１９】  この発明の一実施形態を天使の羽を例に取り図１に示し、最良の実施形態を図９に示す。【００２０】  この発明は、ある一定の長さを有する紐の本体１と、この両端に施した左側先端形状部２、右側先端形状部３によって構成される。天使の羽を例に取り図１に沿って説明すれば、紐の本体１はその左右両端に、天使の右側の羽の形が施された左側先端形状部２と、左側の羽の形が施された右側先端形状部３を有する。両端に施された各々の形状は、この両端を結んだ時に、結び上がりが一対の天使の羽の形になるよう、左右対称に形成されている。（図１、図２参照）【００２１】  最良の実施形態を、図９に従って説明すれば、紐本体１の両端に施された左側先端形状部２と右側先端形状部３には彩色が施され、形状輪郭の一部に沿って形状保持材４（ワイヤー等）を用いている。また、紐本体１の一部には、伸縮素材（ゴム等）を用いて長さ調節部５を設けている。（図９、図１０参照）【００２２】「実施形態の効果」
この実施形態によれば、例えば天使の羽の場合、右側の羽の形状を施した左側先端形状部２と、左側の羽の形状を施した右側先端形状部３を合わせて結んだ時に、初めて一対の天使の羽が出来上がるというものである。【００２３】  また、一端を「彼」、もう一端を「彼女」にするなら、結んだ時に初めて一組のカップルになる。また、半分に切り離されたハートは、左右を合わせて結んだ時に、初めて一個の立派なハートになる。あるいはまた、この形を「熊とハチミツ」にするなら、結んだ時にようやっと熊はハチミツにありつける。・・等々、ある一定の長さを有した紐（リボン）の先端にあらゆる形状を施すことで、結ぶ過程と結び上がりへの期待感を高めることができ、被装飾体をより印象的に飾ることができる。また、結び上がりの形状を選ぶことによって、当該形状に相手へのメッセージを込める等、装飾効果を多様化する。【００２４】「他の実施形態」
ここに示す実施形態では、左右先端の形状部も紐本体と同じ素材で連続して取ったが、他の実施形態では、形状部を紐の本体と同質の素材、または異なる素材で別に作成し、紐本体の先端に取り付けてもよく、紐本体の幅についても、デザイン如何によるものとし、自由である。【００２５】  また、前記第六発明に記した装飾用紐（リボン）について、中心線が結び目上方に来るものについては、Ｖ字型の切れ目とゆとり部分も、結び目上方に取るものとする。【００２６】  及び、前記第七発明に記した装飾用紐（リボン）の場合に於いて、当該先端形状部に、彩色や刺繍やアップリケ等を加えたり、形状保持材を用いたり、あるいは、紐本体の一部か全部を伸縮素材で構成したり、紐本体の中央で左右に２分し、この左右二つを一組として構成する等、いずれの形態にも本考案は及ぶものである。【００２７】  尚、紐本体の素材は結べる性質の物であればよい。また、形状を成す先端形状部の素材は、目的とする形を表現しやすい物であればよく、あるいは、複数の素材を組み合わせて構成してもよい。【００２８】  更に、先端に施す形状は、二つ合わせた時に初めて一つの形として完成するものや、複数揃うとより華やかさや楽しさを増すもの、あるいは、「彼と彼女」や「熊とハチミツ」などの楽しい組合せやキャラクター等、あらゆるもの全てがその対象となる。あるいは、花やりんごやハート等の一個形をあえて二つに分けて用い、結んだ時に出来上る形の効果を楽しむのもよい。【００２９】  実施の形態としては、前述の天使の羽以外で例えるなら、「熊とハチミツ」の場合は、一方の先端に「熊」、もう一方の先端に「ハチミツの壺」の形状が施されている。また、一個形のハートの場合は、図７に示したように、一方の先端にハートの半分、もう一方の先端にもう半分のハートの形状が施されている。
【図面の簡単な説明】
【００３０】
【図１】第一発明を、天使の羽を例にとって示す平面図である。
【図２】第一発明（図１）の装飾用紐（リボン）を結んだ図である。
【図３】第二発明を、天使の羽を例にとって示す平面図である。
【図４】第三発明を、天使の羽を例にとって示す平面図である。
【図５】第四発明を、天使の羽を例にとって示す平面図である。
【図６】第五発明を、天使の羽を例にとって示す平面図である。
【図７】第六発明を、ハートの一個形を例にとって示す平面図である。
【図８】第六発明（図７）の装飾用紐（リボン）を結んだ図である。
【図９】本発明を実施するための最良の形態を、天使の羽を例にとって示す平面図である。
【図１０】最良の形態（図９）の装飾用紐（リボン）を結んだ図である。
【図１１】第七発明を、天使の羽を例にとって示す裏側平面図である。
【図１２】第七発明（図１１）の装飾用紐（リボン）を結んだ図である。
【符号の説明】
【００３１】１  紐の本体
２  左側先端形状部
３  右側先端形状部
４  形状保持材
５  長さ調節部
６  Ｖ字型の切れ目
７  ゆとり部分
８  接続具
【図１】
2009084771.tif 000003
【図２】
2009084771.tif 000004
【図３】
2009084771.tif 000005
【図４】
2009084771.tif 000006
【図５】
2009084771.tif 000007
【図６】
2009084771.tif 000008
【図７】
2009084771.tif 000009
【図８】
2009084771.tif 000010
【図９】
2009084771.tif 000011
【図１０】
2009084771.tif 000012
【図１１】
2009084771.tif 000013
【図１２】
2009084771.tif 000014